(57)【要約】【課題】電力量計のターミナルブロックへの工具の取り付け及び取り外しを極めて迅速確実に行い得るようにした電力量計用無停電バイパス工具の提供。【解決手段】絶縁構造とした横長の容器本体１の内部に、複数の導電板４，５と、下端のピン接点９を容器本体１の下方に突出又は突出可能とした複数の接触ピン８と、複数の圧縮バネ１０とを配設し、容器本体１又はターミナルブロックＢに設けたレバー固定ピン１５を介して、一端部３１にロック用突起３３を備えたケース固定レバー３を揺動可能に連結させ、レバーバネ２０によって該ケース固定レバー３を常時所定方向に向けて弾性付与させてある構造とする。【選択図】図８
2015129707.tif 000002
【特許請求の範囲】
【請求項１】
複数の入力系端子(a)と出力系端子(b)とのターミナルブロック(B)を備えた電力量計(A)を対象として使用する無停電作業用の工具であって、
絶縁構造とした横長の容器本体(1)の内部に、相互に非接触状態に収容させた複数の導電板(4，5)と、これらの導電板(4，5)に上端側を連結し、下端のピン接点(9)を容器本体(1)の下方に突出させるか突出可能とした複数の接触ピン(8)と、これらの各接触ピン(8)を容器本体(1)の下方に向けて常時押圧させる複数の圧縮バネ(10)とを配設し、
該容器本体(1)又は電力量計(A)のターミナルブロック(B)部分に設けたレバー固定ピン(15，15)を介して、一端部(31)にロック用突起(33)を備えたケース固定レバー(3，3)を揺動可能に連結させるとともに、レバーバネ(20，20)によって該ケース固定レバー(3，3)を常時所定方向に向けて弾性付与させてある構造とした電力量計用無停電バイパス工具。
【請求項２】
複数の入力系端子(a)と出力系端子(b)とのターミナルブロック(B)を備えた電力量計(A)を対象として使用する無停電作業用の工具であって、
絶縁構造とした横長の容器本体(1)の内部に、相互に非接触状態に収容させた複数の導電板(4，5)と、これらの導電板(4，5)に上端側を連結し、下端のピン接点(9)を容器本体(1)の下方に突出させるか突出可能とした複数の接触ピン(8)と、これらの各接触ピン(8)を容器本体(1)の下方に向けて常時押圧させる複数の圧縮バネ(10)とを配設し、
該容器本体(1)の長手方向両端部に設けた固定ガイド(12，12)に、容器本体(1)の前後方向に沿わせて横設させたレバー固定ピン(15，15)を介して、
一端部(31)に容器本体(1)の中央側に向かって突出するロック用突起(33)を備えたケース固定レバー(3，3)を揺動可能に連結させ、
前記固定ガイド(12，12)、又は、その近くに別途形成した固定ガイドに横設したロックレバーピン(16，16)を揺動軸として、降下揺動し容器本体(1)を押圧移動させる容器本体圧接部(13a)を備えたロックレバー(13，13)を起伏揺動自在に連結させてある構造とした請求項１に記載の電力量計用無停電バイパス工具。
【請求項３】
ケース固定レバー(3，3)が、レバー固定ピン(15，15)に取り付けたレバーバネ(20，20)によって、一端部(31，31)側が容器本体(1)の中央側に向くように常時弾性付与させてある構造とした請求項１又は２に記載の電力量計用無停電バイパス工具。
【請求項４】
ロックレバー(13，13)が、当該ロックレバー(13)のロック操作に伴ってロックレバーピン(16，16)の位置の外側に突出するように移動し、ケース固定レバー(3)のロック解除方向への揺動移動を制限するストッパ(13b，13b)を備えている構造とした請求項２又は３に記載の電力量計用無停電バイパス工具。
【請求項５】
ロックレバー(13，13)が、当該ロックレバー(13)の容器本体圧接部(13a)に、回転自在に軸架されたロックローラ(18，18)を備えていて、該ロックローラ(18，18)が容器本体(1)に接して押圧降下させる構造としてある請求項２乃至４の何れかに記載の電力量計用無停電バイパス工具。
【請求項６】
ケース固定レバー(3，3)が、その一端部(31)のみ、又は、該一端部(31)に形成してあるロック用突起(33)の、容器本体(1)の長手方向に沿った長さ(D)が、電力量計(A)のターミナルブロック(B)に形成された電線接続操作用凹入部(c)の横幅(d)に比して大きく形成してある請求項２乃至５の何れかに記載の電力量計用無停電バイパス工具。
【請求項７】
ケース固定レバー(3，3)の一端部(31)に形成してあるロック用突起(33)の下面(36)が、容器本体(1)の長手方向中央側に向かって上昇する傾斜面に形成してある請求項２乃至６の何れかに記載の電力量計用無停電バイパス工具。
【発明の詳細な説明】
【技術分野】
【０００１】
本発明は、電力使用量を計量する電力量計の電線接続部側のターミナルブロックに取り付けて、入出力電線回路にバイパス回路を形成し、無停電状態で電力量計を交換するために使用するバイパス工具である。
【０００２】
従来、一般家庭や各種の事業所において使用されている電力量は、各戸や各事業所毎に個別に取り付けられた電力量計によって電力の使用量が計測され、その計測データに基づいて電力料金が電力会社に支払われている。したがって、電力量計は誤作動なく常に正確な計量ができるものでなければならないため、電力量計は、一定期間使用した時点、例えば約１０年間程度の使用サイクルで新しいものと交換されている。
【背景技術】
【０００３】
しかしながら、この定期交換時や補修作業時において、一時的かつ短時間でも停電を生じさせると、パソコン等を使用してネットワーク通信操作を行っている場合や、時刻設定された各種の機器への影響は決して小さいものとはいえず、電力使用者に大きな不都合をもたらすこととなる。
【０００４】
そこで、このような課題を根本的に解決することを可能とした技術として、電力量計における電線接続用入出力系端子に対する電線の取り外し作業や再接続作業を皆無とし、活線取り扱いの危険性を排し、短時間や瞬間的にも停電を伴うことなく、無停電状態を維持しながら、極めて迅速に短時間に電力量計の無停電交換作業や無停電修理作業を行うことを可能とした技術が提案され、既に公開されている。
【先行技術文献】
【特許文献】
【０００５】
【特許文献１】特開２００９−１５０７５３号公報
【特許文献２】特開２００６−１７０７８７号公報
【発明の概要】
【発明が解決しようとする課題】
【０００６】
これらの先行技術は、電力使用量を計量する電力量計の電線接続部側に設けられたターミナルブロックの表面を覆っている危険防止カバー取り外して露出させた入出力電線回路の各端子に、バイパス工具を直接当て付けてバイパス回路を形成することによって、無停電状態で電力量計の交換作業や取替作業を行うことができるようにした技術である。
【０００７】
これらの先行技術は、旧来の技術と対比したとき、活線取り扱いの危険性がなく、無停電状態を維持しながら、極めて迅速に短時間に電力量計の無停電交換作業や無停電修理作業を行うことができる顕著な利点を有する技術である。しかしながら、これらの先行技術は、バイパス回路を形成するためのバイパス工具の電力量計のターミナルブロックへの取り付け取り外し作業を、取付ネジの位置合わせとネジ締め操作とによって取り付け、締付ネジの弛緩操作によって取り外すようにした構造となっており、殊に、取付作業時においてネジの位置合わせ作業を必要とし、この位置合わせ後にネジ締め作業を行うようにしたものであるため、時間と手間を要するものとなっていた。
【０００８】
そこで本発明は、電力量計のターミナルブロックへの工具の取り付け及び取り外し作業をワンタッチ操作で行うことを可能とし、かつ、電力量計のターミナルブロックを構成する各ターミナルへの接触ピンの加圧接触をワンタッチ操作で行える構成としたものであって、バイパス回路の形成を実質的にツータッチ操作で、極めて迅速確実に行うことができるようにした電力量計用無停電バイパス工具の提供を目的としたものである。更に本発明は、レバー操作のみで電力量計のターミナルブロックに取り付けることができ、電力量計に負荷を与えることなく、電力量計取付金具等の造営材にも負荷を与えることのない電力量計用無停電バイパス工具を提供するものである。
【課題を解決するための手段】
【０００９】
該目的を達成するために講じた本発明に係る請求項１に記載の電力量計用無停電バイパス工具にあっては、複数の入力系端子ａと出力系端子ｂとのターミナルブロックＢを備えた電力量計Ａを対象として使用する無停電作業用の工具であって、絶縁構造とした横長の容器本体１の内部に、相互に非接触状態に収容させた複数の導電板４，５と、これらの導電板４，５に上端側を連結し、下端のピン接点９を容器本体１の下方に突出させるか突出可能とした複数の接触ピン８と、これらの各接触ピン８を容器本体１の下方に向けて常時押圧させる複数の圧縮バネ１０とを配設し、該容器本体１又は電力量計ＡのターミナルブロックＢ部分に設けたレバー固定ピン１５，１５を介して、一端部３１にロック用突起３３を備えたケース固定レバー３，３を揺動可能に連結させるとともに、レバーバネ２０，２０によって該ケース固定レバー３，３を常時所定方向に向けて弾性付与させてある構造としたものである。
【００１０】
また、請求項２に記載の電力量計用無停電バイパス工具にあっては、複数の入力系端子ａと出力系端子ｂとのターミナルブロックＢを備えた電力量計Ａを対象として使用する無停電作業用の工具であって、絶縁構造とした横長の容器本体１の内部に、相互に非接触状態に収容させた複数の導電板４，５と、これらの導電板４，５に上端側を連結し、下端のピン接点９を容器本体１の下方に突出させるか突出可能とした複数の接触ピン８と、これらの各接触ピン８を容器本体１の下方に向けて常時押圧させる複数の圧縮バネ１０とを配設し、該容器本体１の長手方向両端部に設けた固定ガイド１２，１２に、容器本体１の前後方向に沿わせて横設させたレバー固定ピン１５，１５を介して、一端部３１に容器本体１の中央側に向かって突出するロック用突起３３を備えたケース固定レバー３，３を揺動可能に連結させ、前記固定ガイド１２，１２、又は、その近くに別途形成した固定ガイドに横設したロックレバーピン１６，１６を揺動軸として、降下揺動し容器本体１を押圧移動させる容器本体圧接部１３ａを備えたロックレバー１３，１３を起伏揺動自在に連結させてある構造としたものである。
【００１１】
請求項３に記載の構成は、請求項１又は２に記載の電力量計用無停電バイパス工具におけるケース固定レバー３，３が、レバー固定ピン１５，１５に取り付けたレバーバネ２０，２０によって、一端部３１，３１側が容器本体１の中央側に向くように常時弾性付与させてある構造としたものである。
【００１２】
請求項４に記載の構成は、請求項２又は３に記載の電力量計用無停電バイパス工具におけるロックレバー１３，１３が、当該ロックレバー１３のロック操作に伴ってロックレバーピン１６，１６の位置の外側に突出するように移動し、ケース固定レバー３のロック解除方向への揺動移動を制限するストッパ１３ｂ，１３ｂを備えている構造としたものである。
【００１３】
請求項５に記載の構成は、請求項２乃至４の何れかに記載の電力量計用無停電バイパス工具におけるロックレバー１３，１３が、当該ロックレバー１３の容器本体圧接部１３ａに、回転自在に軸架されたロックローラ１８，１８を備えていて、該ロックローラ１８，１８が容器本体１に接して押圧降下させる構造としたものである。
【００１４】
請求項６に記載の構成は、請求項２乃至５の何れかに記載の電力量計用無停電バイパス工具におけるケース固定レバー３，３が、その一端部３１のみ、又は、該一端部３１に形成してあるロック用突起３３の、容器本体１の長手方向に沿った長さＤが、電力量計ＡのターミナルブロックＢに形成された電線接続操作用凹入部ｃの横幅ｄに比して大きく形成してある構造としたものである。
【００１５】
請求項７に記載の構成は、請求項２乃至６の何れかに記載の電力量計用無停電バイパス工具におけるケース固定レバー３，３の一端部３１に形成してあるロック用突起３３の下面３６が、容器本体１の長手方向中央側に向かって上昇する傾斜面に形成してある構造としたものである。
【発明の効果】
【００１６】
以上の通り、本発明にいうところの電力量計用無停電バイパス工具は、内部に所要構造を備えさせた容器本体１又は電力量計ＡのターミナルブロックＢ部分に設けたレバー固定ピン１５，１５を介して、一端部３１にロック用突起３３を備えたケース固定レバー３，３を揺動可能に連結させるとともに、レバーバネ２０，２０によって該ケース固定レバー３，３を常時所定方向に向けて弾性付与させてある構造としたものであるから、電力量計ＡのターミナルブロックＢへの工具の取り付け作業に当たって、容器本体１をターミナルブロックＢにあてがって押しつけるという操作によって、ケース固定レバー３の一端部３１に形成してあるロック用突起３３を、前記容器本体１又はターミナルブロックＢ部分に形成されているロック用突起３３の契合部と契合させてワンタッチ操作で取り付けることができ、また、取り外し作業に当たっては、ケース固定レバー３，３を揺動させてロック用突起３３の契合を解くことによって取り外すことができるので、電力量計Ａのバイパス回路の形成を実質的にワンタッチ操作で、極めて迅速確実に行うことができるという顕著な効果を期待できるものである。
【００１７】
また、より具体的な一構成としては、請求項２に記載の構成のように、容器本体１の大きさを、使用対象とする電力量計Ａに対応する横長を有する容器本体１の長手方向両端部に、一端部３１に容器本体１の中央側に向かって突出するロック用突起３３を備えたケース固定レバー３，３を揺動可能に連結させてある構造とし、このケース固定レバー３，３を揺動可能に軸架した固定ガイド１２，１２、又は、その近くに別途形成した固定ガイドに横設したロックレバーピン１６，１６を揺動軸として、降下揺動し容器本体１を押圧移動させる容器本体圧接部１３ａを備えたロックレバー１３，１３を起伏揺動自在に連結させてある構造としたものであるから、電力量計ＡのターミナルブロックＢに対するバイパス工具の取り付け作業を、容器本体１の両端部に設けられているケース固定レバー３，３の一端部３１を開くようにしながらターミナルブロックＢに押し当てるか、ケース固定レバー３，３の一端部３１に設けたロック用突起３３の下面３６に形成してある傾斜面を利用してターミナルブロックＢに押し当てるという、実質的にワンタッチ操作によって取り付けることができ、この状態で、容器本体１の上面に起伏揺動自在に連結させてあるロックレバー１３，１３を押圧操作して、その圧接部１３ａによって容器本体１を降下させるというワンタッチ操作によって、電力量計Ａの各ターミナルに接触ピン８を加圧接触させるようにしたものである。したがって、バイパス回路の形成を、実質的にツータッチ操作により極めて迅速確実に行うことができるという顕著な効果を有する。更に、本発明にいうバイパス工具は、レバー操作のみで電力量計に負荷を与えずに取り付けることができるものであるから、電力量計取付用のサポート金具等の造営材にも負荷がかからない状態で使用できるという顕著な効果を有する。
【００１８】
このようにしてバイパス回路の形成を略ツータッチ操作で形成することができるので、作業者は電力量計本体をベースから取り外して新品と取り替えるなり、別の修理品と取り替えるなりの取替作業に直ちに着手でき、電力量計本体の取替作業を、従来機器に比してほぼ瞬時に着手できるという大きな利点を有している。なお、言うまでもなく、電力量計本体の取替完了後には、ロックレバー１３，１３を緩めてバイパス回路を解除し、ケース固定レバー３，３の一端部３１の契合を解いて容器本体１を取り外し、ターミナルブロックＢの表面に危険防止カバーを取り付けて原状回復させればよい。
【００１９】
本発明のバイパス工具を使用すれば、作業者は、入出力電線に直接触れることなく、短絡事故の危険性を皆無とした状態で、更に、通電を継続しつつ無停電状態で、極めて簡単迅速かつ短時間に、電力量計の交換作業や修理作業を完了することができるという顕著な効果を有する。
【００２０】
本発明の実施に当たっては、請求項３のように、ケース固定レバー３，３が、レバー固定ピン１５，１５に取り付けたレバーバネ２０，２０によって、一端部３１，３１側が容器本体１の中央側に向くように常時弾性付与させてある構造としておくことによって、電力量計Ａの取り付け凹みＢｄに対してロック用突起３３，３３を入り込ませて取り付けることが容易で、該凹みＢｄに一旦入り込ませたロック用突起３３，３３は、所要方向への外力が加えられない限り抜け出すことはないので、ケース固定レバー３，３の姿勢を安定させておくことができる。
【００２１】
請求項４に記載のように、バイパス工具におけるロックレバー１３，１３が、当該ロックレバー１３のロック操作に伴ってロックレバーピン１６，１６の位置の外側に突出するように移動し、ケース固定レバー３，３のロック解除方向への揺動移動を制限するストッパ１３ｂ，１３ｂを備えているものとしておくと、不測の外力によってケース固定レバー３，３が解除されることがなくなるので、電力量計Ａの取り替え等の作業を安心して行うことができる。
【００２２】
請求項５に記載のように、バイパス工具におけるロックレバー１３，１３が、当該ロックレバー１３の容器本体圧接部１３ａに、回転自在に軸架されたロックローラ１８，１８を備えていて、該ロックローラ１８，１８が容器本体１に接して押圧降下する構造としておくと、ロックレバー１３，１３の操作において抵抗が少なく、また軽く操作することができる。
【００２３】
請求項６に記載のように、バイパス工具におけるケース固定レバー３，３が、その一端部３１のみ、又は、該一端部３１に形成してあるロック用突起３３の、容器本体１の長手方向に沿った長さＤを、電力量計ＡのターミナルブロックＢに形成された電線接続操作用凹入部ｃの横幅ｄに比して大きく形成してある構造としておくことによって、該バイパス工具の電力量計ＡにおけるターミナルブロックＢへの取り付けに際して、ケース固定レバー３，３の一端部３１が、ターミナルブロックＢの電線接続操作用凹入部ｃへ不測に落ち込むことはないので、ケース固定レバー３，３が絶縁体で形成されているもののみに限らず、金属で形成されているものであっても、特段の安全装置を必要とすることなく短絡事故等の発生を防止でき、安全に使用することができる。
【００２４】
請求項７に記載のように、バイパス工具におけるケース固定レバー３，３の一端部３１に形成してあるロック用突起３３の下面３６が、容器本体１の長手方向中央側に向かって上昇する傾斜面となるように形成しておくと、工具のターミナルブロックＢへの取り付けに際し、工具をターミナルブロックＢに当て付けて押し込むだけの操作で、ケース固定レバー３の一端部３１を傾斜面に沿わせて自動的に開かせて取り付けることが可能となり、工具のターミナルブロックＢへの取り付けが、より一層簡単かつ瞬時に完了できる。
【図面の簡単な説明】
【００２５】
【図１】電力量計全体を示す正面図。
【図２】図１の部分縦断側面図。
【図３】本発明のバイパス工具の外観形状を示す斜視図。
【図４】容器本体を構成する下部半体の平面図。
【図５】図４の底面図。
【図６】容器本体の正面図。
【図７】図６の平面図。
【図８】電力量計への取付状態を説明する部分縦断正面図。
【図９】電力量計への固定状態を示す容器本体の正面図。
【図１０】図９の平面図。
【図１１】電力量計への固定状態を説明する部分縦断正面図。
【図１２】第２実施例の電力量計全体を示す正面図。
【図１３】第２実施例の容器本体の取付直前状態を示す一部切り欠き正面図。
【図１４】第２実施例の容器本体の取付状態を示す説明図。
【図１５】第３実施例の電力量計全体を示す正面図。
【図１６】図１５の側面図。
【図１７】第３実施例の容器本体の平面図。
【図１８】図１７の一部切り欠き側面図。
【発明を実施するための形態】
【００２６】
以下本発明の第１実施例について図面に基づいて説明する。図１，２は、本発明にいう電力量計用無停電バイパス工具の使用対象例としての代表的な電力量計を示したものである。該電力量計Ａは、壁面への取付状態において、ボックス形の電力量計Ａの下方にターミナルブロックＢが連接されている形態としたものである。
【００２７】
該実施例における電力量計Ａは、図１の正面図に示すように、２本の外線入力系端子ａ，ａが左側に、同じく２本の内線出力系端子ｂ，ｂが右側に並列配置されたターミナルブロックＢを備えている。言うまでもなく、３相用電力量計の場合は、左右に３本宛の端子ａ，ｂが形成されることになる。このターミナルブロックＢの左右部分には、これらの端子群の上面部分を覆う危険防止カバー（図示外）をネジ止めするための取付穴ｈ，ｈを備えた金具が設けられており、これらの取付穴ｈ，ｈを利用して危険防止カバーをネジ止め固定するようになっている。但し、該図１では、上面を覆う危険防止カバーを取り外した状態を示してある。
【００２８】
次に、本発明にいうバイパス工具の実施例について説明する。図３は本発明のバイパス工具の外観形状を背面側上方から示した図である。該工具の内部には、図４の平面図に示したように、その内部に平面形状を略コの字形としたバイパス金具としての第１導電板４と、該コの字形とした部分の空間部に互いに非接触状態に配置され、略直線形状の第２導電板５とを組み込んである。
【００２９】
これらのバイパス金具（導電板）４，５には、図４に示すように、それぞれの両端付近に２つの連結穴４ｈ，５ｈを形成してあり、これらの連結穴４ｈ，５ｈは４本の接触ピン８の上部を挿通させてナット２４で締め付けて連結してあり、その上部に圧縮バネ１０を介装させて、常時下方に向けて弾性押圧するように配置してある（図８参照）。
【００３０】
これらの接触ピン８，８は、図５の底面図及び図６の正面図に見られるように、それぞれの下方部分が容器本体１の下面側に常時突出するように配置してあり、かつ、それぞれの下端面部分を通電性の良好なピン接点９としてある。また、容器本体１の左右端付近には、２本の設置状態確認ピン７，７を設けてある。これらの設置状態確認ピン７，７のそれぞれも、下端部分が容器本体１の下面側に常時突出するように配置形成してある。
【００３１】
前記のバイパス金具としての導電板４，５に固定した前記接触ピン８，８は、図５，６において左側２本を図１に示す電力量計Ａの入力側の２本の端子ａと接触し、同右側２本を出力側の端子ｂと接触するように配置してある。
【００３２】
而して、容器本体１の左右端部分には、図８の左右部に符号１２として示している側面形状をＵの字形とした固定ガイド１２を、Ｕの字形の下底部分を下方にした状態で、容器本体１の前後幅方向に沿うように配置し、その下方付近に形成したピン穴１２ｈに横設させたレバー固定ピン１５，１５を介して、ケース固定レバー３，３の上下方向略中間部３４を揺動可能に連結させてある。このケース固定レバー３，３は、レバー下部３２の一端部３１に、容器本体１の中央側に向かって突出するロック用突起３３を備えていて、レバー上部３５が容器本体１の左右方向外側に向かって常時開く方向にレバーバネ２０によって弾性付与してある。
【００３３】
また、前記固定ガイド１２，１２の上端部付近は、図７，８に示したように、容器本体１の上面側に突出するようにして、該突出部分の対向壁１２０，１２０に別のピン穴１２１，１２１を形成し、該ピン穴１２１とロックレバー１３の後方突出壁１３ｃ，１３ｃに形成したピン穴１６ｈとに、ロックレバーピン１６，１６を横設させて揺動軸とし、容器本体１の上面側において、ロックレバー１３，１３を起伏揺動可能に連結させてある。該ロックレバー１３，１３は、前記ロックレバーピン１６，１６を揺動軸として揺動する側壁を有していて、その一端に容器本体１を押圧降下させる容器本体圧接部１３ａを備えている。
【００３４】
該実施例に示したように、ロックレバー１３，１３の構造を、起伏揺動させる構造としておき、電力量計Ａへの取付操作時以外は、図６乃至８に示した起立姿勢としておき、電力量計Ａへの取付操作時には図９乃至１１に示した倒伏姿勢に姿勢変更させる構造としておくと、電力量計の取替作業時に突起のない嵩の低いものとしておくことができるので、作業時に邪魔になることなく使用することができる。
【００３５】
該実施例に示したロックレバー１３，１３は、図７，８及び図１０，１１に示したように、容器本体１の長手方向外側に向かう部分に、該ロックレバー１３のロック操作に伴ってロックレバーピン１６の位置の外側に突出するように移動して、ロックレバー１３のロック解除方向への揺動移動を制限するストッパ１３ｂを側壁に形成した構造としてある。これらの図に示したものにあっては、このストッパ１３ｂを図７における上下の側壁のうち、片方の側壁のみに形成してあるものとして示してあるが、言うまでもなく両方の側壁に形成してあるものとしてもよい。
【００３６】
また、該実施例に示したケース固定レバー３は、図１１に仮定的に示したように、その一端部３１に形成してあるロック用突起３３部分の容器本体１における長手方向に沿った長さＤを、電力量計ＡのターミナルブロックＢに形成されている電線接続操作用凹入部ｃの横幅ｄに比して大きく形成しておくと、このケース固定レバー３が金属製のものであっても、電線接続操作用凹入部ｃへの落ち込みを回避でき、不測の短絡事故の発生を防ぐことができる。更に、このロック用突起３３部分の下面３６を、図８に示すように、容器本体１の長手方向中央側に向かって上昇する傾斜面として形成しておくと、ケース固定レバー３を当該ターミナルブロックＢの両側に形成されている凹みＢｄに嵌り込ませ易く、容器本体１の取り付けが容易にできる点で好ましい。この下面３６の形状は、直線状であっても、凸曲線状であってもよい。
【００３７】
図１２乃至１４は、第２実施例を説明する図である。該実施例に示した容器本体１の取付手段は、該容器本体１を固定するケース固定レバー３を電力量計ＡのターミナルブロックＢ側に装着してある構造としたものである。
【００３８】
該ケース固定レバー３は、図１３に示したように、電力量計ＡのターミナルブロックＢの左右方向両端部にレバー上部３２２がターミナルブロックＢの上方に突出する状態で、その下端部３２１をレバー固定ピン１５に揺動自在に取り付けるとともに、当該上部３２２がレバーバネ２０によってターミナルブロックＢの中央方向に向けて常時押圧させてある構造としたものである。
【００３９】
而して、該実施例に示したケース固定レバー３は、上部３２２のターミナルブロックＢの中央側に向かう面が上方ほど左右外側へ広がる突曲面３２３に形成されており、容器本体１のターミナルブロックＢへの装着時に、容器本体１の長手方向の側面と接触しながらレバーバネ２０の弾性力に抗して外側に移動しつつ、容器本体１を下方のロック用突起３３に向かって案内する曲面としてある。
【００４０】
該ケース固定レバー３は、該ロック用突起３３の下方に、平面視における前後方向に壁面３２４を備え、容器本体１の前後方向の位置規制と移動阻止を行うようにしてある。
【００４１】
図１５乃至１８は、第３実施例を説明する図である。該実施例は容器本体１を装着する手段として、電力量計ＡにおけるターミナルブロックＢの左右に容器本体装着用の突出体３３０を形成してある構造とし、該突出体３３０を、ターミナルブロックＢの外側に接して形成した容器本体１の装着部３３１と、その外側に位置決めと移動阻止用のフランジ３３２を形成してある構造としたものである。なお、装着部３３１の上下方向には、容器本体１の装着を容易にするために側面視円弧状の縁部３３３を設けている。
【００４２】
該実施例に示した容器本体１は、該容器本体１を固定するケース固定レバー３を、電力量計ＡにおけるターミナルブロックＢの前記突出体３３０の対応箇所に形成したものである。即ち、容器本体１を長手方向両側に一部突出させた突出部３３４，３３４を備えた構造とし、該突出部３３４の前後において、図１８に示すように前記第１実施例で示したものと同様のケース固定レバー３，３を形成してある構造とし、前記突出体３３０を上下から抱え込むようにして装着させる構造としたものである。その他の構成は、前記第１実施例に準ずる。
【００４３】
第３実施例に示したケース固定レバー３と、該固定レバー３と契合する突出体３３０とは、該実施例とは逆に、ケース固定レバー３が電力量計ＡにおけるターミナルブロックＢ側に取り付けられ、突出体３３０が容器本体１側に形成されているものとして実施してもよい。
【００４４】
以上の実施例に説明したように、バイパス工具における容器本体１は、透明な素材で形成しておくことによって、容器本体１の内部を外部から透視確認できる点で好ましいが、この容器本体１は、必ずしも透明体で形成されている必要はなく、不透明材料で全体を形成したり、一部を不透明状態として実施することも可能である。
【００４５】
前記実施例において説明した設置状態確認ピン７は、コイルバネ（図示外）によって常時容器本体１の下面側に向かって加圧されており、容器本体１の非使用時には、図８に示すように、その下端部が容器本体１の下面側に突出する構造としてある。該設置状態確認ピン７は、図１１に示したように、電力量計Ａへの取付作業時にケース固定レバー３を揺動操作して容器本体１を電力量計ＡのターミナルブロックＢに圧接させると、コイルバネの圧力に抗してその上部が容器本体１の上方に突出する。この容器本体１の上面側に突出した設置状態確認ピン７は、目視による確認ができることのみならず、指先による接触によっても確認することができるという利点がある。
【００４６】
以上本発明の代表的と思われる実施例について説明したが、本発明は以上において説明した構造のもののみに限定されるものではなく、本発明にいうところの構成要件を備え、かつ、本発明にいうところの目的を達成し、効果を有する範囲内において適宜改変して実施することができるものである。
【産業上の利用可能性】
【００４７】
本発明にいう電力量計用無停電バイパス工具は、電力量計が備えている入出力電線固定用のターミナルブロックを利用して、ほぼ瞬時に取り付けてバイパス回路を形成し、完全無停電状態下で電力量計本体の交換や修理作業を行うことができ、また、電力量計からの取り外し作業もほぼ瞬時に行うことができるので、あらゆる電気需要者に歓迎され、工事関係者にも大いに歓迎されて使用される可能性が大なるものである。
【符号の説明】
【００４８】
１  容器本体
３  ケース固定レバー
３１  一端部
３３  ロック用突起
４，５  導電板
８  接触ピン
９  ピン接点
１０  圧縮バネ
１２  固定ガイド
１３  ロックレバー
１３ａ  容器本体圧接部
１３ｂ  ストッパ
１５  レバー固定ピン
１６  ロックレバーピン
１８  ロックローラ
２０  レバーバネ
Ａ  電力量計
Ｂ  ターミナルブロック
ａ  入力系端子
ｂ  出力系端子
ｃ  電線接続操作用凹入部
ｄ  凹入部横幅
【図１】
2015129707.tif 000003
【図２】
2015129707.tif 000004
【図３】
2015129707.tif 000005
【図４】
2015129707.tif 000006
【図５】
2015129707.tif 000007
【図６】
2015129707.tif 000008
【図７】
2015129707.tif 000009
【図８】
2015129707.tif 000010
【図９】
2015129707.tif 000011
【図１０】
2015129707.tif 000012
【図１１】
2015129707.tif 000013
【図１２】
2015129707.tif 000014
【図１３】
2015129707.tif 000015
【図１４】
2015129707.tif 000016
【図１５】
2015129707.tif 000017
【図１６】
2015129707.tif 000018
【図１７】
2015129707.tif 000019
【図１８】
2015129707.tif 000020